(57)【要約】【課題】画像濃度の変動を抑制することができる画像形成装置、画像形成装置の制御方法およびプログラムを提供する。【解決手段】画像形成装置は、導電性の素管８１Ａの表面に感光層８１Ｂを有する感光体ドラム８１と、感光体ドラム８１の表面を帯電させる帯電器８２と、温度と湿度の少なくとも一方を取得する温湿度センサ１００と、制御部３００とを備える。そして、制御部３００は、素管８１Ａにバイアスを印加する印加部２００と、温湿度センサ１００が取得した情報に基づいて、印加部２００が印加するバイアスを設定する。【選択図】図２
2016102948.tif 000002
【特許請求の範囲】
【請求項１】
導電性の基材の表面に感光層を有する感光体と、
前記感光体の表面を帯電させる帯電器と、
温度と湿度の少なくとも一方を取得する取得部と、
前記基材にバイアスを印加する印加部と、
制御部と、を備え、
前記制御部は、前記取得部が取得した情報に基づいて、前記印加部が印加するバイアスの値を設定することを特徴とする画像形成装置。
【請求項２】
前記取得部は、温度を取得可能であり、
前記制御部は、前記取得部が取得した温度が高いほど、前記印加部が印加するバイアスを、前記帯電器のバイアスとの差が小さい値に設定することを特徴とする請求項１に記載の画像形成装置。
【請求項３】
前記取得部は、湿度を取得可能であり、
前記制御部は、前記取得部が取得した湿度が高いほど、前記印加部が印加するバイアスを、前記帯電器のバイアスとの差が小さい値に設定することを特徴とする請求項１または請求項２に記載の画像形成装置。
【請求項４】
前記制御部は、前記印加部が印加するバイアスを、前記帯電器のバイアスと逆極性の第１バイアスから前記帯電器のバイアスと同極性かつ前記帯電器のバイアスより絶対値が小さい第２バイアスまでの間の範囲で設定することを特徴とする請求項１から請求項３のいずれか１項に記載の画像形成装置。
【請求項５】
前記制御部は、前記印加部によって前記基材にバイアスを印加した後に、前記帯電器によって前記感光体の表面を帯電させることを特徴とする請求項１から請求項４のいずれか１項に記載の画像形成装置。
【請求項６】
前記取得部は、前記温度と湿度の少なくとも一方を検知するセンサであることを特徴とする請求項１から請求項５のいずれか１項に記載の画像形成装置。
【請求項７】
前記取得部は、装置の駆動履歴に基づいて前記温度を演算することを特徴とする請求項１または請求項２に記載の画像形成装置。
【請求項８】
導電性の基材の表面に感光層を有する感光体と、前記感光体の表面を帯電させる帯電器と、温度と湿度の少なくとも一方を取得する取得部と、前記基材にバイアスを印加する印加部と、を備えた画像形成装置の制御方法であって、
前記取得部が取得した情報を取得し、当該情報に基づいて、前記印加部が印加するバイアスの値を設定することを特徴とする画像形成装置の制御方法。
【請求項９】
導電性の基材の表面に感光層を有する感光体と、前記感光体の表面を帯電させる帯電器と、温度と湿度の少なくとも一方を取得する取得部と、前記基材にバイアスを印加する印加部と、を備えた画像形成装置を制御するコンピュータに適用されるプログラムであって、前記コンピュータに、
前記取得部が取得した情報を取得し、当該情報に基づいて、前記印加部が印加するバイアスの値を設定する処理を実行させることを特徴とするプログラム。
【発明の詳細な説明】
【技術分野】
【０００１】
本発明は、感光体ドラムを備えた画像形成装置、画像形成装置の制御方法およびプログラムに関する。
【背景技術】
【０００２】
従来、電子写真方式の画像形成装置において、使用を続けることで感光体の感度が変化するため、感光体の使用状況によって感光体の素管にバイアスを印加し、感光体の表面電位を一定に保つようにするものが知られている。
【先行技術文献】
【特許文献】
【０００３】
【特許文献１】特開２００１−７５３４２号公報
【発明の概要】
【発明が解決しようとする課題】
【０００４】
ところで、感光体は、温度や湿度によって電子の易動度が変わることで、表面電位が変化することがある。しかしながら、上述した技術は温度や湿度を考慮した補正ではないため、温度や湿度の変化によって表面電位が変動し、画像濃度が変動する可能性がある。
【０００５】
そこで、本発明は、画像濃度の変動を抑制することができる画像形成装置、画像形成装置の制御方法およびプログラムを提供することを目的とする。
【課題を解決するための手段】
【０００６】
前記した目的を達成するため、本発明の画像形成装置は、導電性の基材の表面に感光層を有する感光体と、感光体の表面を帯電させる帯電器と、温度と湿度の少なくとも一方を取得する取得部と、基材にバイアスを印加する印加部と、制御部と、を備える。
そして、制御部は、取得部が取得した情報に基づいて、印加部が印加するバイアスの値を設定する。
【０００７】
このように構成された画像形成装置によれば、温度または湿度の変化によって生じる感光層の電子の易動度の変化に対応して、感光層内の電界の強さを調整することができるので、感光体の表面電位の変動を抑制し、画像濃度の変動を抑制することができる。
【０００８】
前記した画像形成装置において、取得部が、温度を取得可能である場合、制御部は、取得部が取得した温度が高いほど、印加部が印加するバイアスを、帯電器のバイアスとの差が小さい値に設定してもよい。
【０００９】
感光層の電子の易動度は、温度が高いほど大きくなる傾向にあるため、感光体の露光された部分の電位は、温度が高いときに絶対値が小さくなりやすく、温度が低いときに絶対値が大きくなりやすい。そのため、温度が高いほど感光層内の電界を弱くすることで、感光体の露光された部分の電位の変動を抑えることができる。
【００１０】
前記した画像形成装置において、取得部が、湿度を取得可能である場合、制御部は、取得部が取得した湿度が高いほど、印加部が印加するバイアスを、帯電器のバイアスとの差が小さい値に設定してもよい。
【００１１】
感光体の表面の電荷の減衰は、湿度が高いほど大きくなる傾向にあるため、感光体の露光されていない部分の電位は、湿度が高いときに絶対値が小さくなりやすく、湿度が低いときに絶対値が大きくなりやすい。そのため、湿度が高いほど感光層内の電界を弱くすることで、感光体の露光されていない部分の電位の変動を抑えることができる。
【００１２】
前記した画像形成装置において、制御部は、印加部が印加するバイアスを、帯電器のバイアスと逆極性の第１バイアスから帯電器のバイアスと同極性かつ帯電器のバイアスより絶対値が小さい第２バイアスまでの間の範囲で設定することができる。
【００１３】
前記した画像形成装置において、制御部は、印加部によって基材にバイアスを印加した後に、帯電器によって感光体の表面を帯電させるように構成されていてもよい。
【００１４】
前記した画像形成装置において、取得部は、前記温度と湿度の少なくとも一方を検知するセンサであってもよい。
【００１５】
前記した画像形成装置において、取得部は、装置の駆動履歴に基づいて温度を演算する構成であってもよい。
【００１６】
前記した目的を達成するため、本発明の画像形成装置の制御方法は、導電性の基材の表面に感光層を有する感光体と、感光体の表面を帯電させる帯電器と、温度と湿度の少なくとも一方を取得する取得部と、基材にバイアスを印加する印加部と、を備えた画像形成装置の制御方法であって、取得部が取得した情報を取得し、当該情報に基づいて、印加部が印加するバイアスの値を設定する。
【００１７】
前記した目的を達成するため、本発明のプログラムは、導電性の基材の表面に感光層を有する感光体と、感光体の表面を帯電させる帯電器と、温度と湿度の少なくとも一方を取得する取得部と、基材にバイアスを印加する印加部と、を備えた画像形成装置を制御するコンピュータに適用されるプログラムであって、コンピュータに、取得部が取得した情報を取得し、当該情報に基づいて、印加部が印加するバイアスの値を設定する処理を実行させる。
【発明の効果】
【００１８】
本発明によれば、温度または湿度の変化によって生じる感光体の表面電位の変動を抑制することができるので、画像濃度の変動を抑制することができる。
【図面の簡単な説明】
【００１９】
【図１】本発明の一実施形態に係るレーザプリンタの概略構成を示す図である。
【図２】感光体ドラム、印加部、制御部および温湿度センサを示す図である。
【図３】温度および湿度と印加部が印加するバイアスの関係を示すマップである。
【図４】制御部による制御動作を示すフローチャートである。
【図５】素管と感光層の表面の電位を示す図であって、素管にバイアスを印加する場合を示す図（ａ）と、比較例である素管にバイアスを印加しない場合を示す図（ｂ）である。
【発明を実施するための形態】
【００２０】
次に、本発明の実施形態について、適宜図面を参照しながら詳細に説明する。なお、以下の説明においては、まず、画像形成装置の一例としてのレーザプリンタの全体構成を説明した後、本発明の特徴部分を詳細に説明することとする。
【００２１】
以下の説明において、方向は、レーザプリンタ使用時のユーザを基準にした方向で説明する。すなわち、図１において、紙面に向かって右側を「前側」、紙面に向かって左側を「後側」とし、紙面に向かって奥側を「右側」、紙面に向かって手前側を「左側」とする。また、紙面に向かって上下方向を「上下方向」とする。
【００２２】
図１に示すように、レーザプリンタ１は、用紙Ｐを装置本体２内に給紙するためのフィーダ部３と、用紙Ｐに画像を形成するための画像形成部４とを備えている。
【００２３】
フィーダ部３は、装置本体２の下部に着脱可能となっている給紙トレイ３１と、給紙トレイ３１内の用紙Ｐを画像形成部４に向けて給紙する給紙機構３２とを備えている。この給紙機構３２では、給紙トレイ３１内の用紙Ｐが給紙機構３２によって一枚ずつ送り出され、画像形成部４に向けて搬送されるようになっている。
【００２４】
画像形成部４は、スキャナユニット５と、プロセスカートリッジ６と、転写ローラＴＲと、定着装置７とを備えている。
【００２５】
スキャナユニット５は、装置本体２内の上部に設けられ、図示しないレーザ発光部、ポリゴンミラー、レンズおよび反射鏡などを備えている。このスキャナユニット５では、レーザビームを、プロセスカートリッジ６が備える感光体ドラム８１の表面上に高速走査にて照射する。
【００２６】
プロセスカートリッジ６は、装置本体２の前壁に回動可能に設けられたフロントカバー２３で開閉される開口２２を通して、装置本体２に着脱可能となっている。プロセスカートリッジ６は、ドラムカートリッジ８と、ドラムカートリッジ８に対して着脱可能となる現像カートリッジ９とを備えている。
【００２７】
現像カートリッジ９は、内部に収容した正極性のトナーを感光体ドラム８１に供給する現像ローラ９１や、図示を省略する公知の供給ローラ、層厚規制ブレード、アジテータなどを有している。
【００２８】
ドラムカートリッジ８は、静電潜像が形成される感光体の一例としての感光体ドラム８１と、帯電器８２とを備えている。感光体ドラム８１は、転写ローラＴＲに接触するように配置されており、図示しない駆動源から駆動力が入力されることで回転する。転写ローラＴＲは、感光体ドラム８１の回転に伴って回転するように構成されている。
【００２９】
この感光体ドラム８１は、図２に示すように、導電性の基材の一例としての円筒状の素管８１Ａの表面に感光層８１Ｂを有している。素管８１Ａは、例えば、アルミニウム合金等の金属から形成されている。感光層８１Ｂは、例えば、ポリカーボネート等の樹脂に電荷発生材料、電子輸送材料、正孔輸送材料を分散させた正帯電型の有機感光層により形成されている。なお、本実施形態において、感光層８１Ｂの膜厚は、ｄとする。
【００３０】
帯電器８２は、感光体ドラム８１から離間して配置される非接触式の帯電部材であり、感光体ドラム８１の表面をトナーと同極性の電位、つまり正の電位に帯電させるように構成されている。帯電器８２は、コロナ放電を発生させるための帯電ワイヤ８２Ａと、当該帯電ワイヤ８２Ａと感光体ドラム８１との間に設けられるグリッド電極８２Ｂと、を備えている。グリッド電極８２Ｂは、板金を断面視Ｕ字状に折り曲げることで形成される電極であり、その底部には、複数のスリットが形成されている。
【００３１】
このプロセスカートリッジ６では、回転する感光体ドラム８１の表面が、帯電器８２により一様に正極性に帯電された後、スキャナユニット５からのレーザビームの高速走査により露光される。これにより、露光された部分の電位が下がって、感光体ドラム８１の表面に画像データに基づく静電潜像が形成される。
【００３２】
次いで、図１に示すように、回転駆動される現像ローラ９１によって現像カートリッジ９内のトナーが感光体ドラム８１の静電潜像に供給されて、感光体ドラム８１の表面上にトナー像が形成される。その後、感光体ドラム８１と転写ローラＴＲの間で用紙Ｐが搬送されることで、感光体ドラム８１の表面に担持されているトナー像が用紙Ｐ上に転写される。
【００３３】
定着装置７は、加熱ローラ７１と、加熱ローラ７１と対向して配置され加熱ローラ７１を押圧する加圧ローラ７２とを備えている。そして、このように構成される定着装置７では、用紙Ｐ上に転写されたトナーを、用紙Ｐが加熱ローラ７１と加圧ローラ７２との間を通過する間に熱定着している。
【００３４】
なお、定着装置７で熱定着された用紙Ｐは、定着装置７の下流側に配設される排紙ローラＲに搬送され、この排紙ローラＲから排紙トレイ２１上に送り出される。
【００３５】
そして、レーザプリンタ１は、図２に示すように、取得部の一例としての温湿度センサ１００と、印加部２００と、制御部３００とをさらに備えている。
【００３６】
温湿度センサ１００は、温度と湿度を検知するセンサであり、装置本体２内の温度と湿度を取得するように装置本体２内に配置されている。
【００３７】
印加部２００は、感光体ドラム８１の素管８１Ａと帯電器８２のグリッド電極８２Ｂにバイアスを印加するように構成されている。
【００３８】
制御部３００は、ＣＰＵ，ＲＯＭ，ＲＡＭなどを有し、予め用意されたプログラムと温湿度センサ１００が取得した情報に基づいて、温湿度によって生じる感光体ドラム８１の表面電位の変動を抑制するように、印加部２００が印加するバイアスの値を設定するように構成されている。
【００３９】
具体的に、制御部３００は、帯電器８２のバイアス、すなわち、帯電器８２のグリッド電極８２Ｂに印加するバイアスを、帯電後の感光体ドラム８１の表面電位がＶ０となるような所定の正のバイアスに設定する。例えば、制御部３００は、帯電器８２のバイアスを＋６００Ｖに設定する。
【００４０】
そして、制御部３００は、図３に示すように、感光体ドラム８１の素管８１Ａに印加するバイアスの値を参照可能なマップを記憶している。制御部３００は、このマップを参照して、印字ジョブを受信した後、印字を開始する前の印字を行っていない間に、温湿度センサ１００が取得した温度と湿度に基づいて、感光体ドラム８１の素管８１Ａに印加するバイアスの値を設定する。より詳細には、制御部３００は、印加部２００が感光体ドラム８１の素管８１Ａに印加するバイアスを、帯電器８２のバイアスと逆極性の第１バイアスの一例としての−５０Ｖから帯電器８２のバイアスと同極性かつ帯電器８２のバイアスより絶対値が小さい第２バイアスの一例としての＋５０Ｖまでの間の範囲で設定する。
【００４１】
図３のマップに示すように、制御部３００は、温湿度センサ１００が取得した温度が高いほど、印加部２００が感光体ドラム８１の素管８１Ａに印加するバイアスを大きな値、つまり、帯電器８２のバイアスとの差が小さい値に設定するようになっている。また、制御部３００は、温湿度センサ１００が取得した湿度が高いほど、印加部２００が感光体ドラム８１の素管８１Ａに印加するバイアスを大きな値、つまり、帯電器８２のバイアスとの差が小さい値に設定するようになっている。なお、常温常湿（温度２４℃、湿度５０％）では、感光体ドラム８１の素管８１Ａに印加されるバイアスは、０Ｖに設定されるようになっている。
【００４２】
本実施形態では、温度と湿度にそれぞれ下限値（マップの横軸および縦軸）と上限値（マップ中に破線で示した値）が設定されている。この下限値から上限値までの範囲は、画質を保証することができる範囲である。また、本実施形態では、画質を保証することができる範囲において、温度の上昇に対する印加するバイアスの変化の割合が、湿度の上昇に対する印加するバイアスの変化の割合よりも大きくなるように図３のマップが設定されている。より詳細には、画質を保証することができる範囲において、温度および湿度を０から１に正規化したマップにおいて、温度の上昇に対する印加するバイアスの変化の割合が、湿度の上昇に対する印加するバイアスの変化の割合よりも大きくなるように設定されている。
【００４３】
また、制御部３００は、印加部２００によって感光体ドラム８１の素管８１Ａに設定したバイアスを印加する印加制御と、印加制御実行後に、帯電器８２によって感光体ドラム８１の表面を帯電させる帯電制御とを実行可能に構成されている。
【００４４】
次に、制御部３００の制御動作について、図４のフローチャートを参照しながら説明する。
【００４５】
制御部３００は、印字ジョブを受信すると（Ｓ１）、温湿度センサ１００から温度と湿度を取得する（Ｓ２）。そして、制御部３００は、ステップＳ２で取得した温度と湿度に基づいて、図３のマップから印加部２００が感光体ドラム８１の素管８１Ａに印加するバイアスの値を設定する（Ｓ３）。
【００４６】
次に、制御部３００は、印加部２００を制御して、素管８１Ａにバイアスを印加する印加制御を実行する（Ｓ４）。ステップＳ４の後、制御部３００は、帯電器８２を制御して、感光体ドラム８１の表面を帯電させる帯電制御を実行する（Ｓ５）。次に、制御部３００は、スキャナユニット５および現像ローラ９１を制御して、感光体ドラム８１上にトナー像を形成する印字制御を実行する（Ｓ６）。そして、一枚分の印字が終了すると、制御部３００は、印字ジョブが終了したか否かを判定する（Ｓ７）。
【００４７】
制御部３００は、ステップＳ７で印字ジョブが終了したと判定すると（Ｓ７，Ｙｅｓ）、印加制御と帯電制御を終了する（Ｓ８）。そして、制御部３００は、ステップＳ７で印字ジョブが終了していないと判定すると（Ｓ７，Ｎｏ）、ステップＳ６に戻って印字制御を続行する。
【００４８】
以上のように構成されたレーザプリンタ１の作用および効果について説明する。
制御部３００により印字制御が実行されると、感光体ドラム８１の素管８１Ａには、図３のマップから設定されたバイアスが印加されるとともに、感光体ドラム８１の感光層８１Ｂの表面は、帯電器８２により帯電される。
【００４９】
これにより、図５（ａ）に示すように、素管８１Ａの電位は、温度と湿度によって−５０〜＋５０Ｖの範囲の値になる。一方、帯電器８２による帯電直後の感光層８１Ｂの表面電位、すなわち、素管８１Ａ表面からの距離がｄの位置の電位は、Ｖ０となる（点Ａ）。このときの感光層８１Ｂの表面と素管８１Ａとの間の電界Ｅの強さは、図５（ａ）における素管８１Ａの電位と感光層８１Ｂの表面の電位とを通る直線の傾きに相当する。つまり、温度が高くなる、または、湿度が高くなるにつれて、感光層８１Ｂの表面と素管８１Ａとの間の電界Ｅが小さい値になる。
【００５０】
仮に、素管８１Ａにバイアスを印加せず、素管８１Ａを接地している場合、図５（ｂ）に示すように、温度や湿度に関わらず感光層８１Ｂの表面と素管８１Ａの間の電界Ｅは一定になる。
【００５１】
ところが、感光層８１Ｂの電子の易動度μは、温度が高いほど上がる傾向にあることが知られている。電荷の移動速度νは、ν＝μ・Ｅで表されるので、電界Ｅが一定であると、電荷の移動速度νは温度が高いほど大きくなる。そのため、スキャナユニット５により感光層８１Ｂの表面を露光したとき、温度が高いほど感光層８１Ｂの表面電位の低下が大きくなる。これにより、感光層８１Ｂの露光された部分の電位は、温度が常温よりも高い場合、常温での電位ＶＬＪＪ（点ＢＪ）よりも低い電位になり（点ＢＨ１）、さらに温度が高い場合、さらに低い電位になる（点ＢＨ２）。また、感光層８１Ｂの露光された部分の電位は、温度が常温よりも低い場合、常温での電位ＶＬＪＪ（点ＢＪ）よりも高い電位になり（点ＢＬ１）、さらに温度が低い場合、さらに高い電位になる（点ＢＬ２）。
【００５２】
本実施形態では、図５（ａ）に示すように、温度が高いほど感光層８１Ｂの表面と素管８１Ａとの間の電界Ｅを小さい値にすることで、電子の易動度μが変動した場合でも電荷の移動速度νの変動を抑制することができる。そのため、スキャナユニット５により感光層８１Ｂの表面を露光すると、温度が変動した場合でも感光層８１Ｂの露光された部分の電位の変動が抑制される（点Ｂ）。
【００５３】
また、感光体ドラム８１の感光層８１Ｂの表面の露光されていない部分の電荷は、時間の経過に伴って減衰する。この露光されていない部分の電荷の減衰を暗減衰と呼ぶ。暗減衰は、電子の易動度μの変化に応じて、湿度が高いほど大きくなる傾向にあり、湿度が高いほど感光体ドラム８１の表面電位が帯電後に大きく減少することが知られている。そのため、感光層８１Ｂの表面と素管８１Ａの間の電界Ｅを一定にしている場合には、感光層８１Ｂの露光されていない部分の電位が湿度によって変動しやすい。本実施形態では、感光層８１Ｂの表面と素管８１Ａの間の電界Ｅを湿度が高いほど小さい値にするので、暗減衰を抑えて感光層８１Ｂの露光されていない部分の電位が湿度によって変動するのを抑えることができる。
【００５４】
以上のように、本実施形態では、感光層８１Ｂの表面の露光された部分と露光されていない部分の電位の温度や湿度による変動を抑えることができるので、画像濃度の変動を抑えることができる。
【００５５】
また、高温高湿環境下において、感光層８１Ｂ内の電界Ｅを小さい値にすることで、感光層８１Ｂから素管８１Ａへの電荷の移動を抑えることができるので、感光層８１Ｂの露光した部分以外の部分にトナーが載るのを抑えることができる。
【００５６】
そして、低温低湿環境下において、感光層８１Ｂの表面と素管８１Ａの間の電界Ｅを大きい値にすることで、感光層８１Ｂ内に残留する電荷量を減らすことができるので、画像にムラが生じるのを低減することができる。
【００５７】
また、印字がされていないときに印加部２００が印加するバイアスを設定し、印加部２００によって素管８１Ａにバイアスが印加された後で感光体ドラム８１が帯電されるため、暗減衰を抑制することができ、感光体ドラム８１の表面電位が変化するのを抑えることができる。
【００５８】
以上、本発明の実施形態について説明したが、本発明は前記実施形態に限定されるものではない。具体的な構成については、本発明の趣旨を逸脱しない範囲で適宜変更が可能である。
【００５９】
前記実施形態では、取得部として温度と湿度を検知する温湿度センサ１００を例示したが、取得部はこれに限定されず、取得部は、温度のみ、または、湿度のみを取得するように構成されていてもよい。例えば、取得部は、温度センサであってもよいし、湿度センサであってもよい。
また、取得部として装置本体２の内部に設けられた温湿度センサ１００を例示したが、取得部は、装置本体２の外部に設置されたセンサから温度もしくは湿度を取得するように構成されていてもよい。
【００６０】
また、取得部は、レーザプリンタ１の駆動履歴、例えば、レーザプリンタ１の駆動・停止の時間の履歴やレーザプリンタ１を起動してからの現像ローラ９１または感光体ドラム８１の回転時間等に基づいて、温度を演算するように構成されていてもよい。なお、感光体ドラム８１と現像ローラ９１の接触回転により生じる摩擦が感光体ドラム８１の温度に影響を与えるので、レーザプリンタ１の駆動履歴は、レーザプリンタ１を起動してからの感光体ドラム８１の回転時間を含むことが望ましい。
【００６１】
前記実施形態では、印加部２００が感光体ドラム８１の素管８１Ａに印加するバイアスを、−５０Ｖ〜＋５０Ｖの間で設定していたが、素管８１Ａに印加するバイアスはこれに限定されず、使用する感光体ドラムや帯電器等の性質に合わせて適宜変更するとよい。
【００６２】
前記実施形態では、感光体として感光体ドラム８１を例示したが、感光体はこれに限定されず、例えば、感光ベルトであってもよい。
【符号の説明】
【００６３】
１      レーザプリンタ
８１    感光体ドラム
８１Ａ  素管
８１Ｂ  感光層
８２    帯電器
１００  温湿度センサ
２００  印加部
３００  制御部
【図１】
2016102948.tif 000003
【図２】
2016102948.tif 000004
【図３】
2016102948.tif 000005
【図４】
2016102948.tif 000006
【図５】
2016102948.tif 000007